(57)【要約】      （修正有）【課題】内蔵する電池の電力を利用して電波を発信するＩＣタグにおいて、電力の消費量を削減することができるＩＣタグ及びタグ管理システムを提供する。【解決手段】タグＩＤと、電波を発信する間隔である第１及び第２の時間間隔とを記憶する主制御部１３と、ＩＣタグ１０ａの環境が第１の条件を満たしているか否かについて検知するセンサ検知部１１を有する。また、第１の時間間隔以上、センサ検知部１１により第１の条件を満たしていることを検知した場合には、第２の時間間隔だけ、タグＩＤをタグ管理装置に対して送信するとともに、第１の時間間隔以上、センサ検知部１１により第１の条件を満たしていることを検知していない場合には、タグＩＤをタグ管理装置に対して送信しない無線通信部１６ｂを有する。【選択図】図１
2007034683.tif 000002
【特許請求の範囲】
【請求項１】
タグ管理装置に対して信号を送信するＩＣタグであって、
タグＩＤと、電波を発信する間隔である第１及び第２の時間間隔とを記憶する第１の記憶手段と、
自ＩＣタグの環境が第１の条件を満たしているか否かについて検知する第１のセンサ検知手段と、
前記第１の記憶手段に記憶されている第１の時間間隔以上、前記第１のセンサ検知手段により第１の条件を満たしていることを検知した場合には、前記第１の記憶手段に記憶されている第２の時間間隔だけ、前記第１の記憶手段に記憶されているタグＩＤを前記タグ管理装置に対して送信する第１の無線通信手段と、
前記第１の記憶手段に記憶されている第１の時間間隔以上、前記第１のセンサ検知手段により第１の条件を満たしていることを検知していない場合には、前記第１の記憶手段に記憶されているタグＩＤを前記タグ管理装置に対して送信しない第２の無線通信手段と、
を有することを特徴とするＩＣタグ。
【請求項２】
自ＩＣタグの環境が第２の条件を満たしているか否かについて検知する第２のセンサ検知手段と、
前記第２のセンサ検知手段が第２の条件を満たしていることを検知した場合には、前記第１の記憶手段に記憶されているタグＩＤに、前記第２の条件が満たされていることを示す識別情報を付加して、前記タグ管理装置に対して送信する第３の無線通信手段と、
を更に有することを特徴とする請求項１に記載のＩＣタグ。
【請求項３】
前記タグ管理装置から信号を受信する無線受信手段と、
前記無線受信手段が受信した信号に基づいて、前記第１又は第２の時間間隔を変更する主制御手段と、
を更に有することを特徴とする請求項１又は２に記載のＩＣタグ。
【請求項４】
タグ管理装置と複数のＩＣタグを備えるタグ管理システムであって、
前記ＩＣタグは、請求項１〜３のいずれかの項に記載のＩＣタグであり、
前記タグ管理装置は、
前記ＩＣタグから受信した信号に含まれる情報を記憶する第２の記憶手段と、
ユーザの指示を入力するインターフェース手段と、
前記インターフェース手段から入力される指示に基づいて、前記第２の記憶手段に記憶されている情報を表示する表示手段と、
を備えることを特徴とするタグ管理システム。
【発明の詳細な説明】
【技術分野】
【０００１】
本発明は、ＩＣタグを物品等に取り付け、そのＩＣタグから発信される電波を受信することにより、物品の状態等を管理するためのＩＣタグ及びタグ管理システムに関する。
【背景技術】
【０００２】
現在、ＩＣタグの種類としては、電池を内蔵しないパッシブタグと、電池を内蔵するアクティブタグが知られている（特許文献１）。パッシブタグは、リーダライタからの信号を受信した場合に、リーダライタに対して電波を発信するＩＣタグである。一方、アクティブタグは、内蔵する電池の電力を利用してレシーバに対して自ら電波を発信するＩＣタグである。アクティブタグは、最大１０ｍ程度の通信距離が得られるため、通信距離が短いパッシブタグでは実現できない技術分野に導入されている。
【０００３】
図６は、従来から利用されていたアクティブタグであるＩＣタグ１０ｂの構成を示すブロック図である。このＩＣタグ１０ｂは、内蔵している電池１２から供給される電力を利用して電波を送信する。ＩＣタグ１０ｂはアクティブタグであるため、工場からの出荷時やタグ管理システムの稼動時にスイッチ１５をオンにすることで電池１２から電力の供給を開始すると、記憶部１４に記憶されている発信間隔に基づいて無線発信部１６ａから電波の送信を行う。スイッチ１５は、一度オンにするとオフにすることはできず、電池１２の電力が尽きるまで、主制御部１３の制御により無線発信部１６ａから電波を発信し続ける。
【０００４】
図７は、従来使用されていたタグ管理システムの概略構成図である。このタグ管理システムは、ＩＣタグ１０ｂ（図６参照）とタグ管理装置２０ｂを有している。ＩＣタグ１０ｂは、発信間隔ごとに、タグＩＤの情報を含む電波を発信し続ける。タグ管理装置２０ｂに接続されたレシーバ２１は、ＩＣタグ１０ｂから送信される電波を受信する。また、ＩＣタグ１０ｂが設置されている場所の近傍には、センサ３０が設置されている。センサ３０は、例えば、温度センサなどであり、ＩＣタグ１０ｂが取り付けられる冷凍食品等の温度が所定の温度以下に保たれているか否かを監視するために設置される。センサ３０は、検知する温度が所定値以上である場合に、タグ管理装置２０ｂに対して信号を送信する。
タグ管理装置２０ｂは、装置の内部で論理積回路３１の処理を行う。つまり、ＩＣタグ１０ｂから電波を受信した場合であって、かつ、センサ３０から信号を受信した場合に、レシーバ２１が受信した信号に含まれるタグＩＤの情報等を、タグ管理装置２０ｂのデータベースに記憶するなど処理を行っていた。
【特許文献１】特表２００２−５０６２６０号公報
【発明の開示】
【発明が解決しようとする課題】
【０００５】
しかしながら、上述したように、ＩＣタグとして従来のアクティブタグを利用した場合には、一度電波の発信を開始すると電池の電力が尽きるまで所定の発信間隔で電波を発信し続け、発信を停止できなかった。よって、より精度の高い検知を行おうとすると発信間隔を短くする必要があり、ＩＣタグに内蔵されている電池の電力の消耗が激しく、電池の寿命が短くなるという問題があった。
【０００６】
本発明は、上記事情に鑑みてなされたものであり、その目的は、内蔵する電池の電力を利用して電波を発信するＩＣタグにおいて、電力の消費量を削減することができるＩＣタグ及びタグ管理システムを提供することにある。
【課題を解決するための手段】
【０００７】
本発明は、上記課題を解決するためになされたもので、請求項１に記載の発明は、タグ管理装置に対して信号を送信するＩＣタグであって、タグＩＤと、電波を発信する間隔である第１及び第２の時間間隔とを記憶する第１の記憶手段と、自ＩＣタグの環境が第１の条件を満たしているか否かについて検知する第１のセンサ検知手段と、前記第１の記憶手段に記憶されている第１の時間間隔以上、前記第１のセンサ検知手段により第１の条件を満たしていることを検知した場合には、前記第１の記憶手段に記憶されている第２の時間間隔だけ、前記第１の記憶手段に記憶されているタグＩＤを前記タグ管理装置に対して送信する第１の無線通信手段と、前記第１の記憶手段に記憶されている第１の時間間隔以上、前記第１のセンサ検知手段により第１の条件を満たしていることを検知していない場合には、前記第１の記憶手段に記憶されているタグＩＤを前記タグ管理装置に対して送信しない第２の無線通信手段とを有することを特徴とするＩＣタグである。
【０００８】
また、請求項２に記載の発明は、自ＩＣタグの環境が第２の条件を満たしているか否かについて検知する第２のセンサ検知手段と、前記第２のセンサ検知手段が第２の条件を満たしていることを検知した場合には、前記第１の記憶手段に記憶されているタグＩＤに、前記第２の条件が満たされていることを示す識別情報を付加して、前記タグ管理装置に対して送信する第３の無線通信手段とを更に有することを特徴とする請求項１に記載のＩＣタグである。
【０００９】
また、請求項３に記載の発明は、前記タグ管理装置から信号を受信する無線受信手段と、前記無線受信手段が受信した信号に基づいて、前記第１又は第２の時間間隔を変更する主制御手段とを更に有することを特徴とする請求項１又は２に記載のＩＣタグである。
【００１０】
また、請求項４に記載の発明は、タグ管理装置と複数のＩＣタグを備えるタグ管理システムであって、前記ＩＣタグは、請求項１〜３のいずれかの項に記載のＩＣタグであり、前記タグ管理装置は、前記ＩＣタグから受信した信号に含まれる情報を記憶する第２の記憶手段と、ユーザの指示を入力するインターフェース手段と、前記インターフェース手段から入力される指示に基づいて、前記第２の記憶手段に記憶されている情報を表示する表示手段とを備えることを特徴とするタグ管理システムである。
【発明の効果】
【００１１】
本発明では、第１のセンサ検知手段により、第１の時間間隔以上、第１のセンサ検知手段により第１の条件を検知している場合についてのみ、第１の無線通信手段により電波を送信するようにした。
これにより、ＩＣタグに内蔵されている電池の電力が尽きるまで、電波を送信し続けることを防ぐことができ、電池を長期間使用することができる。
【発明を実施するための最良の形態】
【００１２】
以下、図面を参照し、本発明の実施形態によるＩＣタグ管理システムついて説明する。このＩＣタグ管理システムは、ＩＣタグとタグ管理装置により構成される。
図１（ａ）、（ｂ）は、本発明の第１の実施形態によるＩＣタグ１０ａの構成を示すブロック図である。このＩＣタグ１０ａは、センサ検知部１１、電池１２、主制御部１３、記憶部１４、スイッチ１５、無線通信部１６ｂを有する。本実施形態では、ＩＣタグ１０ａとして、電池１２から供給される電力を利用して自ら外部に電波を発信するアクティブタグを使用している。
【００１３】
センサ検知部１１は、ＩＣタグ１０ａの周囲の環境を検知し、所定の条件Ｃ１を満たすか否かについて判定し、条件Ｃ１を満たしている場合には、主制御部１３に対して信号Ｓ１を出力する。センサ検知部１１には、条件Ｃ１を検知できるように、電池１２から常に微弱電流が供給されている。本実施形態では、センサ検知部１１が温度センサである場合であって、所定の条件Ｃ１が「ＩＣタグ１０ａの周囲の温度が−２０℃以上」という条件である場合について説明する。つまり、ＩＣタグ１０ａの周囲の温度が−２０℃以上であれば、主制御部１３に対して信号Ｓ１を出力する。
【００１４】
電池１２は、ＩＣタグ１０ａが動作するために必要な電力を、ＩＣタグ１０ａの各部に供給する。主制御部１３は、センサ検知部１１から出力される信号Ｓ１を、時間間隔Ｔ１以上検知し続けた場合には、スイッチ１５、無線通信部１６ｂを制御することにより、電波を時間間隔Ｔ２だけ継続して発信する。
記憶部１４は、個々のＩＣタグ１０ａを識別するためのタグＩＤの情報や、ＩＣタグ１０ａから送信する電波の発信間隔の情報や、時間間隔Ｔ１及びＴ２の情報を記憶する。
【００１５】
スイッチ１５は、主制御部１３の制御に基づいて、主制御部１３と無線通信部１６ｂの間を電気的に絶縁してオフの状態にしたり（図１（ａ））、主制御部１３と無線通信部１６ｂの間を電気的に導通させてオンの状態にしたりする（図１（ｂ））。
スイッチ１５がオフの場合には無線通信部１６ｂに対して電力が供給されないため、ＩＣタグ１０ａからの電波の送信を停止する。一方、スイッチ１５がオンの場合には無線送信部１６ｂに対して電力が供給されるため、ＩＣタグ１０ａから電波を送信する。
無線通信部１６ｂは、主制御部１３が記憶部１４から読み出すタグＩＤの情報を電波に乗せてタグ管理装置へ送信する。また、無線通信部１６ｂは、タグ管理装置から電波を受信し、受信信号をスイッチ１５を介して主制御部１３に出力する。
【００１６】
図２は、本実施形態によるタグ管理装置２０ａの構成を示すブロック図である。このタグ管理装置２０ａは、レシーバ２１、通信部２２、書込制御部２３、記憶部２４、データ制御部２５、表示制御部２６、表示部２７、インターフェース部２８を有する。
レシーバ２１は、アンテナを備えており、ＩＣタグ１０ａ（図１参照）から送信される電波を受信する。また、レシーバ２１は、ＩＣタグ１０ａに対して電波を送信する。通信部２２は、レシーバ２１が電波を受信した受信時刻の情報を取得し、レシーバ２１から取得する受信信号とともに書込制御部２３に出力する。
書込制御部２３は、通信部２２から出力される信号に含まれるタグＩＤと受信時刻の情報とを対応付けて記憶部２４に記録する。
【００１７】
記憶部２４は、設定情報ＤＢ（Data Base）・２４ａ、登録タグＩＤＤＢ・２４ｂ、取得情報ＤＢ・２４ｃを有する。設定情報ＤＢ・２４ａには、電波の発信間隔や、時間間隔Ｔ１、Ｔ２などの情報が記録されている。登録タグＩＤＤＢ・２４ｂには、タグ管理装置２０ａで管理する複数のＩＣタグ１０ａのタグＩＤなどの情報が記録されている。取得情報ＤＢ・２４ｃには、タグ管理装置２０ａが電波を受信したＩＣタグ１０ａのタグＩＤと、その電波を受信した受信時刻の情報が対応付けて記録されている。
【００１８】
データ制御部２５は、ＤＢ検索制御部２５ａ、登録データ制御部２５ｂを有する。ＤＢ検索制御部２５ａは、インターフェース部２８から入力される制御命令に基づいて、記憶部２４の各データベース２４ａ〜２４ｃに記録されている情報の中から、所定の情報を検索する。登録データ制御部２５ｂは、設定情報ＤＢ・２４ａに時間間隔Ｔ１、Ｔ２などの情報を記録したり、登録タグＩＤＤＢ・２４ｂに新たなタグＩＤを追加したりする。
表示制御部２６は、ＤＢ検索制御部２５ａが検索した情報を表示部２７に出力して、表示画面に表示させる。表示部２７は、ＬＣＤ（Liquid Crystal Display）などからなる出力機器であり、ＤＢ検索制御部２５ａの検索結果等を表示する。インターフェース部２８は、キーボードなどの入力機器であり、タグ管理装置２０ａの使用者等の操作に基づいて、データ制御部２５に対して制御命令を出力する。
【００１９】
図３は、本実施形態によるＩＣタグ１０ａの動作を示すフローチャートである。
始めに、主制御部１３は、センサ検知部１１から信号Ｓ１が出力されたか否かについて判定する（ステップＳ１１）。例えば、センサ検知部１１は、「検知する温度が−２０℃以上」という条件Ｃ１を満たしていることを検知した場合には、信号Ｓ１を主制御部１３に対して出力する。センサ検知部１１から信号Ｓ１が出力されていない場合には、ステップＳ１１で「ＮＯ」と判定し、再度ステップＳ１１へ進む。一方、センサ検知部１１から信号Ｓ１が出力された場合には、ステップＳ１１で「ＹＥＳ」と判定する。
【００２０】
そして、主制御部１３は、センサ検知部１１から信号Ｓ１が、時間間隔Ｔ１以上、継続して出力されているか否かについて判定する（ステップＳ１２）。センサ検知部１１から信号Ｓ１が、時間間隔Ｔ１以上、継続して出力されていない場合には、ステップＳ１２で「ＮＯ」と判定し、ステップＳ１１へ進む。一方、センサ検知部１１から信号Ｓ１が、時間間隔Ｔ１以上、継続して出力されている場合には、ステップＳ１２で「ＹＥＳ」と判定し、主制御部１３は、スイッチをオフからオンの状態に切り替える（ステップＳ１３）。そして、主制御部１３は、記憶部１４からタグＩＤの情報を読み出して、電波に乗せて無線通信部１６ｂからタグ管理装置２０ａに対して送信する（ステップＳ１４）。
【００２１】
次に、主制御部１３は、記憶部１４に記録されている時間間隔Ｔ２を参照することにより、時間間隔Ｔ２が既に経過しているか否かについて判定する（ステップＳ１５）。時間間隔Ｔ２がまだ経過していない場合には、ステップＳ１５で「ＮＯ」と判定し、記憶部１４からタグＩＤの情報を読み出して、電波に乗せて無線通信部１６ｂからタグ管理装置２０ａに対して送信する（ステップＳ１６）。そして、ステップＳ１５へ進む。
一方、時間間隔Ｔ２が既に経過している場合には、ステップＳ１６で「ＹＥＳ」と判定する。そして、主制御部１３は、スイッチ１５をオンからオフの状態に切り替えた後（ステップＳ１７）、再度ステップＳ１１から処理を開始する。
【００２２】
図４は、本実施形態によるタグ管理システムを使用した場合に得られる効果を示す図である。既に説明したように、本実施形態によるタグ管理システムは、ＩＣタグ１０ａとタグ管理装置２０ａにより構成されている。このような構成を採ることにより、タグ管理装置２０ａは、ＩＣタグ１０ａが送信した信号であって、レシーバ２１から受信ポート３２に入力された信号に対して、論理積回路３１（図７参照）による処理を行うことなく、そのまま処理することができるので、タグ管理装置２０ｂの構成を簡略化することができる。
また、本実施形態によるタグ管理システムのＩＣタグ１０ａでは、時間間隔Ｔ１以上、継続してセンサ検知部１１から信号Ｓ１が主制御部１３に対して出力されている場合にのみ、ＩＣタグ１０ａから電波を送信するようにした。また、ＩＣタグ１０ａから、時間間隔Ｔ２だけ電波を送信した後、電波の送信を停止するようにした。よって、電池１２の消費電力を大幅に削減することができる。
【００２３】
次に、本発明の第２の実施形態によるタグ管理システムについて説明する。
本実施形態によるＩＣタグ１０ａとタグ管理装置２０ａの構成については、第１の実施形態によるＩＣタグ１０ａ（図１参照）とタグ管理装置２０ａ（図２参照）と同じであるので、その説明を省略する。
ただし、本実施形態によるＩＣタグ１０ａのセンサ検知部１１は、周囲の環境における所定の条件Ｃ２及びＣ３を検知する。センサ検知部１１は、条件Ｃ２を満たしていると判定した場合には主制御部１３に対して信号Ｓ２を送信し、条件Ｃ３を満たしていると判定した場合には主制御部１３に対して信号Ｓ３を出力する。
【００２４】
また、本実施形態による主制御部１３は、センサ検知部１１から信号Ｓ２を、時間間隔Ｔ１以上、継続して取得している場合に無線通信部１６ｂからタグＩＤの情報を送信する。また、主制御部１３がセンサ検知部１１から信号Ｓ３を取得した場合には、無線通信部１６ｂからタグＩＤの情報に、信号Ｓ３を検出したことを示す識別情報ｆを付加して送信する。
また、本実施形態によるタグ管理装置２０ａの取得情報ＤＢ・２４ｃは、タグＩＤと電波の受信時刻の情報を対応付けて記録するだけでなく、レシーバ２１により受信した信号に識別情報ｆが含まれている場合には、タグＩＤ、受信時刻、識別情報ｆの情報をそれぞれ対応付けて記録する。
【００２５】
図５は、本実施形態によるＩＣタグ１０ａの動作を示すフローチャートである。
始めに、主制御部１３は、センサ検知部１１から信号Ｓ３が出力されたか否かについて判定する（ステップＳ２１）。例えば、センサ検知部１１は、「検知する温度が−２０℃以上（例えば、−１９℃）」という条件Ｃ３を満たしていることを検知した場合には、信号Ｓ３を主制御部１３に対して出力する。センサ検知部１１から信号Ｓ３が出力された場合には、ステップＳ２１で「ＹＥＳ」と判定し、ステップＳ２９へ進む。ステップＳ２９の処理については後述する。一方、センサ検知部１１から信号Ｓ３が出力されていない場合には、ステップＳ２１で「ＮＯ」と判定し、ステップＳ２２へ進む。
【００２６】
次に、主制御部１３は、センサ検知部１１から信号Ｓ２が出力されたか否かについて判定する（ステップＳ２２）。例えば、センサ検知部１１は、「検知する温度が−２０℃未満（例えば、−２１℃）」という条件Ｃ２を満たしていることを検知した場合には、信号Ｓ２を主制御部１３に対して出力する。センサ検知部１１から信号Ｓ２が出力されていない場合には、ステップＳ２２で「ＮＯ」と判定し、再度ステップＳ２１へ進む。一方、センサ検知部１１から信号Ｓ２が出力された場合には、ステップＳ２２で「ＹＥＳ」と判定する。
【００２７】
そして、主制御部１３は、センサ検知部１１から信号Ｓ２が、時間間隔Ｔ１以上、継続して出力されているか否かについて判定する（ステップＳ２３）。センサ検知部１１から信号Ｓ２が、時間間隔Ｔ１以上、継続して出力されていない場合には、ステップＳ２３で「ＮＯ」と判定し、ステップＳ２１へ進む。一方、センサ検知部１１から信号Ｓ２が、時間間隔Ｔ１以上、継続して出力されている場合には、ステップＳ２３で「ＹＥＳ」と判定し、主制御部１３は、スイッチ１５をオフからオンの状態に切り替える（ステップＳ２４）。そして、主制御部１３は、記憶部１４からタグＩＤの情報を読み出して、電波に乗せて無線通信部１６ｂからタグ管理装置２０ａに対して送信する（ステップＳ２５）。
【００２８】
次に、主制御部１３は、記憶部１４に記録されている時間間隔Ｔ２を参照することにより、時間間隔Ｔ２が既に経過しているか否かについて判定する（ステップＳ２６）。時間間隔Ｔ２がまだ経過していない場合には、ステップＳ２６で「ＮＯ」と判定し、記憶部１４からタグＩＤの情報を読み出して、電波に乗せて無線通信部１６ｂからタグ管理装置２０ａに対して送信する（ステップＳ２７）。
一方、時間間隔Ｔ２が既に経過している場合には、ステップＳ２６で「ＹＥＳ」と判定し、主制御部１３は、スイッチ１５をオンからオフの状態に切り替え（ステップＳ２８）、再度ステップＳ２１から処理を開始する。
【００２９】
一方、ステップＳ２１で、センサ検知部１１から信号Ｓ３が出力された場合には、「ＹＥＳ」と判定し、主制御部１３は、センサ検知部１１から信号Ｓ３が出力されたか否かについて判定する（ステップＳ２９）。センサ検知部１１から信号Ｓ３が出力されていない場合には、ステップＳ２９で「ＮＯ」と判定し、ステップＳ２１へ進む。一方、センサ検知部１１から信号Ｓ３が出力された場合には、ステップＳ２９で「ＹＥＳ」と判定し、主制御部１３は、スイッチ１５をオフからオンの状態に切り替える（ステップＳ３０）。そして、主制御部１３は、記憶部１４から読み出したタグＩＤの情報に、条件Ｃ３に該当することを示す識別情報ｆを付加し、電波に乗せて無線通信部１６ｂからタグ管理装置２０ａに送信する（ステップＳ３１）。そして、ステップＳ２８へ進む。
【００３０】
上述した実施形態によるタグ管理システムでは、所定の条件Ｃ２（例えば、センサ検知部１１で検知する温度が−２０℃未満という条件）を満たすことを示す信号Ｓ２が、時間間隔Ｔ１以上、継続して主制御部１３に入力された場合には、タグＩＤをタグ管理装置２０ａに送信するようにした。また、所定の条件Ｃ３（例えば、センサ検知部１１で検知する温度が−２０℃以上という条件）を満たすことを示す信号Ｓ３が主制御部１３に入力された場合には、即座に、タグＩＤに識別情報ｆを付加してタグ管理装置２０ａに送信するようにした。
【００３１】
よって、ＩＣタグ１０ａを冷凍食品の管理などに使用する場合に、その冷凍食品の周囲の温度が−２０℃未満で「正常状態」である場合には、タグ管理装置２０ａにより定期的にタグＩＤの情報を受信することができるとともに、その冷凍食品の周囲の温度が−２０℃以上に上昇して「異常状態」となった場合には、即座にタグＩＤの情報と異常状態にあることを示す識別情報ｆをタグ管理装置２０ａで受信することができる。このため、タグ管理システムの管理者等は、ＩＣタグ１０ａを取り付ける商品について適切な温度管理を行うことができる。
【００３２】
なお、上述した第１及び第２の実施形態において、タグ管理装置２０ａからＩＣタグ１０ａに対して信号を送信して、情報を記録するようにしてもよい。このようにすることにより、タグ管理装置２０ａのインターフェース部２８からＩＣタグ１０ａの発信間隔や、時間間隔Ｔ１、時間間隔Ｔ２の情報を入力し、それらの情報を、通信部２２を介してＩＣタグ１０ａに送信して、記憶部１４に記録されているＩＣタグ１０ａの発信間隔や、時間間隔Ｔ１、時間間隔Ｔ２の情報を変更することができる。よって、タグ管理システムの管理者等の希望に応じて、アクティブタグであるＩＣタグ１０ａから電波を発信するタイミングを調整することができる。
また、上述した第１及び第２の実施形態では、センサ検知部１１がＩＣタグの周囲の温度を検知する温度センサである場合について説明したが、このような構成に限定されるものではない。例えば、センサ検知部１１として、赤外線センサ、振動センサ、人感センサなどを使用することもできる。
また、上述した第１及び第２の実施形態では、タグ管理システムを冷凍食品等の温度管理に適用する場合について説明したが、このような構成に限定されるものではなく、資産管理や、商品等の持出防止、不正入室管理などに適用してもよい。
【００３３】
上述した第１及び第２の実施形態によるタグ管理システムによれば、所定の条件Ｃ１若しくは所定の条件Ｃ２又はＣ３を満たす場合にだけＩＣタグから電波を発信するようにしたので、アクティブタグであるＩＣタグに内蔵される電池の省電力化を実現することができる。これにより、ＩＣタグの電池を取り替える業務を減らすことができるため、人件費や電池等の費用を削減することができる。
また、タグＩＤの内部にセンサ検知部を設け、そのセンサ検知部が検知する条件Ｃ１〜Ｃ３を満たした場合に出力される信号Ｓ１〜Ｓ３を時間間隔Ｔ１以上満たしているか否かについての判定を主制御部１３で行うようにしたので、タグ管理装置側に別途、センサを設ける必要がなくなり、タグ管理システムの簡素化を図ることができる。
【００３４】
なお、以上説明した実施形態において、図１（ａ）、（ｂ）の主制御部１３、図２の書込制御部２３、データ制御部２５、表示制御部２６の機能を実現するためのプログラムをコンピュータ読み取り可能な記録媒体に記録して、この記録媒体に記録されたプログラムをコンピュータシステムに読み込ませ、実行することによりタグ管理システムの制御を行ってもよい。なお、ここでいう「コンピュータシステム」とは、ＯＳや周辺機器等のハードウェアを含むものとする。
【００３５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３６】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００３７】
【図１】本発明の第１の実施形態によるＩＣタグ１０ａの構成を示すブロック図である。
【図２】本実施形態によるタグ管理装置２０ａの構成を示すブロック図である。
【図３】本実施形態によるＩＣタグ１０ａの動作を示すフローチャートである。
【図４】本実施形態によるタグ管理システムを使用した場合に得られる効果を示す図である。
【図５】本発明の第２の実施形態によるＩＣタグ１０ａの動作を示すフローチャートである。
【図６】従来から利用されていたアクティブタグであるＩＣタグ１０ｂの構成を示すブロック図である。
【図７】従来から利用されていたタグ管理システムの概略構成図である。
【符号の説明】
【００３８】
１０ａ、１０ｂ・・・ＩＣタグ、１１・・・センサ検知部、１２・・・電池、１３・・・主制御部、１４・・・記憶部、１５・・・スイッチ、１６ａ・・・無線発信部、１６ｂ・・・無線通信部、２０ａ、２０ｂ・・・タグ管理装置、２１・・・レシーバ、２２・・・通信部、２３・・・書込制御部、２４・・・記憶部、２４ａ・・・設定情報ＤＢ、２４ｂ・・・登録タグＩＤＤＢ、２４ｃ・・・取得情報ＤＢ、２５・・・データ制御部、２５ａ・・・ＤＢ検索制御部、２５ｂ・・・登録データ制御部、２６・・・表示制御部、２７・・・表示部、２８・・・インターフェース部、３０・・・センサ、３１・・・論理積回路、３２・・・受信ポート
【図１】
2007034683.tif 000003
【図２】
2007034683.tif 000004
【図３】
2007034683.tif 000005
【図４】
2007034683.tif 000006
【図５】
2007034683.tif 000007
【図６】
2007034683.tif 000008
【図７】
2007034683.tif 000009